(57)【要約】【課題】妻面における接着剤等によって接合された接合部分を剥離させることなく、容易に解体することが可能な衛生用紙収納用カートンを提供する。【解決手段】本発明の衛生用紙収納用カートン１００は、一対の妻面４が、上面１の両端縁から延出され且つ底面２側に折り曲げられた上面側外フラップ１１と、底面２の両端縁から延出され且つ上面１側に折り曲げられた底面側外フラップ１２とが、互いの一部が重なるようにして接合されたものであり、上面側外フラップ１１又は底面側外フラップ１２の一方の側縁１３から他方の側縁１４にかけて、互いの一部が重なるようにして接合された接合部分７を避けるように、解体用切込線６が形成されている。【選択図】図１
2007204094.tif 000002
【特許請求の範囲】
【請求項１】
衛生用紙の取出口を形成するための切込線（取出口用切込線）が形成された上面と、前記上面に対向する底面と、一対の側面と、一対の妻面とを有する形状に折り曲げられて形成された箱体からなり、その内部に前記衛生用紙を収納し得る空間が形成された衛生用紙収納用カートンであって、
一対の前記妻面は、前記上面の両端縁から延出され且つ前記底面側に折り曲げられた上面側外フラップと、前記底面の両端縁から延出され且つ前記上面側に折り曲げられた底面側外フラップとが、互いの一部が重なるようにして接合されたものであり、
前記上面側外フラップ又は前記底面側外フラップの一方の側縁から他方の側縁にかけて、互いの一部が重なるようにして接合された接合部分を避けるように、解体用切込線が形成されている衛生用紙収納用カートン。
【請求項２】
前記解体用切込線が、前記上面側外フラップ又は前記底面側外フラップの一方の側縁から他方の側縁にかけて円弧状に形成されている請求項１に記載の衛生用紙収納用カートン。
【請求項３】
前記上面側外フラップ又は前記底面側外フラップの先端部分に、接合用の突出部を更に有し、前記突出部において前記上面側外フラップと前記底面側外フラップとが接合されている請求項１又は２に記載の衛生用紙収納用カートン。
【請求項４】
一対の前記側面の両端縁から延出され且つ対向する側面側に折り曲げられた内フラップを更に有し、
前記内フラップと、前記上面側外フラップ及び前記底面側外フラップとが、未接合の状態で重なって配置されている請求項１〜３のいずれかに記載の衛生用紙収納用カートン。
【請求項５】
前記上面と前記底面との両方に、前記取出口用切込線がそれぞれ形成されている請求項１〜４のいずれかに記載の衛生用紙収納用カートン。
【発明の詳細な説明】
【技術分野】
【０００１】
本発明は、衛生用紙収納用カートンに関する。更に詳しくは、妻面における接着剤等によって接合された接合部分を剥離させることなく、容易に解体することが可能な衛生用紙収納用カートンに関する。
【背景技術】
【０００２】
家庭やオフィス等で広く使われているティシュペーパーを収納したカートンは、一般に、概ね直方体を呈し、その一面にティシュペーパーを取り出すための取出口が設けられている（例えば、特許文献１及び２参照）。
【０００３】
使用者は、カートンの一面に設けられている切込線に沿って切取片を切り離し取出口を形成して、そこからティシュペーパーを取出すことができる。
【０００４】
例えば、図７に示すように、特許文献１のティシュペーパー収納箱２０は、取出口２４を有する天板２１と、底板２２と、二つの側板２３とを備えており、その二つの側板２３の一方の端縁には、図示しない一対の内フラップが折曲げ線を介して連接されており、他方の端縁も同様に一対の内フラップが折曲げ線を介して連接されている。
【０００５】
また、天板２１と底板２２との一方の端縁には、一対の外フラップ２５ａ，２５ｂが折曲げ線２６ａ，２６ｂを介して連接されており、他方の端縁も同様に一対の外フラップ２５ａ，２５ｂが折曲げ線２６ａ，２６ｂを介して連接されている。
【０００６】
これらの一対の内フラップ（図示せず）及び外フラップ２５ａ，２５ｂは、外フラップ２５ａ，２５ｂの一方の先端部分に一直線状に一定の幅に塗布された接着剤ｇによって接着させることにより妻面を形成している。
【０００７】
そして、この外フラップ２５ｂの中央部には、親指大の径をなし且つ外フラップ２５ｂの折曲げ線２６ｂ側に円弧を描く解体用ミシン線２８が形成されている。
【０００８】
このように組み立てられたティッシュペーパー収納箱２０は、収納されたティッシュペーパーを使い果たした後、両手の指で、それぞれ２面の妻面にある外フラップ２５ｂを、円弧状の解体用ミシン線２８に沿って押し破り、挿入した指で外フラップ２５ａを内側から外側に向かって引張る。
【０００９】
これにより、外フラップ２５ａを外フラップ２５ｂ及び一対の内フラップ（図示せず）から引き剥がすことができ、使用済みの収納箱を解体することができる。
【００１０】
また、例えば、特許文献２には、一対の外フラップのうちの一方の外フラップに打ち抜き部を設け、他方の外フラップに該打ち抜き部を通して一対の内フラップに接着する接着剤を塗布して製造された組み立て角箱が開示されている。このような組み立て角箱は、接着剤の量を減らしても強固に外フラップを接合させることが可能である。
【特許文献１】特開２００２−２９５８０号公報
【特許文献２】特開２００３−２９２０７０号公報
【発明の開示】
【発明が解決しようとする課題】
【００１１】
しかしながら、このような従来のカートンや組み立て角箱は、使用後に解体を行う際に、外フラップが重ね合わせられて接合された接合部分を強く引張って剥離させなければならず、解体し難いという問題があった。
【００１２】
本発明は、上述した問題に鑑みてなされたものであり、妻面における接着剤等によって接合された接合部分を剥離させることなく、容易に解体することが可能な衛生用紙収納用カートンを提供する。
【課題を解決するための手段】
【００１３】
即ち、本発明によれば、以下の衛生用紙収納用カートンが提供される。
【００１４】
［１］  衛生用紙の取出口を形成するための切込線（取出口用切込線）が形成された上面と、前記上面に対向する底面と、一対の側面と、一対の妻面とを有する形状に折り曲げられて形成された箱体からなり、その内部に前記衛生用紙を収納し得る空間が形成された衛生用紙収納用カートンであって、一対の前記妻面は、前記上面の両端縁から延出され且つ前記底面側に折り曲げられた上面側外フラップと、前記底面の両端縁から延出され且つ前記上面側に折り曲げられた底面側外フラップとが、互いの一部が重なるようにして接合されたものであり、前記上面側外フラップ又は前記底面側外フラップの一方の側縁から他方の側縁にかけて、互いの一部が重なるようにして接合された接合部分を避けるように、解体用切込線が形成されている衛生用紙収納用カートン。
【００１５】
［２］  前記解体用切込線が、前記上面側外フラップ又は前記底面側外フラップの一方の側縁から他方の側縁にかけて円弧状に形成されている前記［１］に記載の衛生用紙収納用カートン。
【００１６】
［３］  前記上面側外フラップ又は前記底面側外フラップの先端部分に、接合用の突出部を更に有し、前記突出部において前記上面側外フラップと前記底面側外フラップとが接合されている前記［１］又は［２］に記載の衛生用紙収納用カートン。
【００１７】
［４］  一対の前記側面の両端縁から延出され且つ対向する側面側に折り曲げられた内フラップを更に有し、前記内フラップと、前記上面側外フラップ及び前記底面側外フラップとが、未接合の状態で重なって配置されている前記［１］〜［３］のいずれかに記載の衛生用紙収納用カートン。
【００１８】
［５］  前記上面と前記底面との両方に、前記取出口用切込線がそれぞれ形成されている前記［１］〜［４］のいずれかに記載の衛生用紙収納用カートン。
【発明の効果】
【００１９】
本発明の衛生用紙収納用カートンは、妻面における接着剤等によって接合された接合部分を剥離させることなく、解体用切込線を破断することにより、容易に解体することができる。このため、使用済みの衛生用紙収納用カートンを簡便且つより小さく折り畳んで廃棄することができる。
【発明を実施するための最良の形態】
【００２０】
以下、本発明の衛生用紙収納用カートンについて、適宜、図面を参酌しながら、実施の形態を説明するが、本発明はこれらに限定されて解釈されるべきものではない。本発明の要旨を損なわない範囲で、当業者の知識に基づいて、種々の変更、修正、改良、置換を加え得るものである。例えば、図面は、好適な本発明の実施の形態を表すものであるが、本発明は図面に表される態様や図面に示される情報により制限されない。本発明を実施し又は検証する上では、本明細書中に記述されたものと同様の手段若しくは均等な手段が適用され得るが、好適な手段は、以下に記述される手段である。
【００２１】
図１及び図２は、本発明の衛生用紙収納用カートンの一の実施の形態を示す図である。図１は、衛生用紙収納用カートンの使用状態を示す斜視図であり、図２は、衛生用紙収納用カートンを組み立てる前のカートンブランクの状態の展開図である。また、図３は、図１に示す衛生用紙収納用カートンの使用状態を示す斜視図であり、図４及び図５は、図１に示す衛生用紙収納用カートンを解体する工程を示す斜視図である。
【００２２】
図１〜図３に示すように、本実施の形態の衛生用紙収納用カートン１００は、衛生用紙の取出口１０を形成するための切込線（取出口用切込線１５）が形成された上面１（即ち、取出口１０が形成される面）と、上面１に対向する底面２と、一対の側面３ａ，３ｂと、一対の妻面４ａ，４ｂ（上面１と底面２と一対の側面とにより四角形の角筒状に形成された筒の端部において、上面側外フラップ１１と底面側外フラップ１２とを重ね合わせてその一部を接合して形成された面）とを有する形状に折り曲げられて形成された箱体からなり、その内部に衛生用紙１０７を収納し得る空間５が形成された衛生用紙収納用カートン１００である。
【００２３】
そして、本実施の形態の衛生用紙収納用カートン１００は、一対の妻面４ａ，４ｂが、上面１の両端縁から延出され且つ底面２側に折り曲げられた上面側外フラップ１１と、底面２の両端縁から延出され且つ上面１側に折り曲げられた底面側外フラップ１２とが、互いの一部が重なるようにして接合されたものであり、上面側外フラップ１１又は底面側外フラップ１２の一方の側縁１３から他方の側縁１４にかけて、互いの一部が重なるようにして接合された接合部分７を避けるように、解体用切込線６が形成されている。なお、図１〜図３に示す衛生用紙収納用カートン１００においては、上面側外フラップ１１に解体用切込線６が形成されている。また、衛生用紙収納用カートン１００は、側面３ａと底面２とが、底面２から延出された側面接合部８によって接合されている。
【００２４】
本実施の形態の衛生用紙収納用カートン１００は、使用済みの衛生用紙収納用カートン１００を解体する際に、妻面４における接合部分７を剥離させることなく、容易に解体することができる。
【００２５】
解体を行う具体的な方法としては、図４に示すように、まず、上面側外フラップ１１に形成された解体用切込線６を、指等によって押圧して破断し、図５に示すように、上面側外フラップ１１と、上面側外フラップ１１の一部が接合された状態の底面側外フラップ１２とに分離して妻面４側を開放する。
【００２６】
この後、妻面４側を開放した衛生用紙収納用カートン１００を上面１側から押し潰したり、側面３ａと底面２とを接合する側面接合部８を引き剥がしたりして、衛生用紙収納用カートン１００を解体する。
【００２７】
上記したように、解体用切込線６は、妻面４における接合部分７を避けるように一方の側縁１３から他方の側縁１４にかけて形成されているため、解体用切込線６を破断するだけで、即ち、妻面４における接合部分７を剥離させることなく、妻面４を開放することができ、極めて容易に衛生用紙収納用カートン１００を解体することができる。
【００２８】
なお、図１〜図３に示す衛生用紙収納用カートン１００は、解体用切込線６が上面側外フラップ１１に形成されているが、図６に示すように、解体用切込線６が、底面側外フラップ１２の一方の側縁１３から他方の側縁１４にかけて、互いの一部が重なるようにして接合された接合部分７を避けるように形成されていてもよい。ここで、図６は、本実施の形態の衛生用紙収納用カートンの他の例を示す斜視図であり、図１に示す衛生用紙収納用カートンと同様の各要素には同一の符号を付してその説明を省略する。
【００２９】
本実施の形態の衛生用紙収納用カートン１００における解体用切込線６は、上記のように、上面側外フラップ１１又は底面側外フラップ１２の一方の側縁１３から他方の側縁１４にかけて、互いの一部が重なるようにして接合された接合部分７を避けるように形成されていれば、その形状について特に制限はないが、図１〜図３に示すように、解体用切込線６は、上面側外フラップ１１又は底面側外フラップ１２の一方の側縁１３から他方の側縁１４にかけて円弧状に形成されていることが好ましい。このように構成することによって、より少ない力で、且つ解体用切込線６から逸れることなく良好に解体用切込線６を破断することができる。
【００３０】
また、図１〜図６に示す衛生用紙収納用カートン１００は、妻面４を構成する上面側外フラップ１１と底面側外フラップ１２とのうち表側に重ねられている外フラップ（例えば、図１においては上面側外フラップ１１であり、図６においては底面側外フラップ１２）に解体用切込線６が形成されているが、内側に重ねられている外フラップ（例えば、図１においては底面側外フラップ１２であり、図６においては上面側外フラップ１１）に解体用切込線６が形成されていてもよい。
【００３１】
上面側外フラップ１１と底面側外フラップ１２との接合部分７は、従来公知の接着剤等によって接合することによって構成されている。
【００３２】
解体用切込線６は、直線状の切れ目（スリット）で形成されていても、部分的につながりを有するミシン目状のものでもよく、包装業界でジッパーと呼称されている切れ目が鉤形に屈曲した開封用破断線（包装産業の周知・慣用技術集第２８１頁参照、昭和５３年１２月２０日特許庁発行）や、２重線のミシン目でもよい。
【００３３】
本実施の形態の衛生用紙収納用カートン１００においては、特に限定されることはないが、上面側外フラップ１１又は底面側外フラップ１２の先端部分に、接合用の突出部９を更に有し、この突出部９において上面側外フラップ１１と底面側外フラップ１２とが接合されていることが好ましい。このように構成することによって、上面側外フラップ１１と底面側外フラップ１２との先端部分全域が接合されている必要がなくなり、上面側外フラップ１１と底面側外フラップ１２との接合部分７を縮小させることができる。
【００３４】
また、本実施の形態の衛生用紙収納用カートン１００は、一対の側面３ａ，３ｂのぞれぞれの両端縁から延出され且つ対向する側面側（例えば、側面３ａの両端縁から延出される場合には、側面３ｂ側）に折り曲げられた内フラップ１６を更に有し、この内フラップ１６と、上面側外フラップ１１及び底面側外フラップ１２とが、未接合の状態で重なって配置されていることが好ましい。
【００３５】
このように構成することによって、衛生用紙収納用カートン１００の解体の容易さを損なうことなく、衛生用紙収納用カートン１００の構造強度を向上させることができるとともに、妻面４と側面３との隙間からの埃等の侵入を有効に防止することができる。
【００３６】
本実施の形態の衛生用紙収納用カートン１００は、木材パルプ、古紙などを原料とする厚紙などの紙材料を主体に製造した収納箱であり、主にティシュペーパー、ペーパータオル、等の衛生用紙１０７を収納するための収納箱である。
【００３７】
なお、図２においては、上面１の取出口用切込線１５の形状が、略長円形状であるが、取出口用切込線１５の形状については特に制限はなく、従来公知の形状の取出口用切込線１５が形成されていてもよい。
【００３８】
例えば、その他の取出口用切込線１５の形状としては、中央がくびれ、また上面１の長手方向両端に向かって広がった、「蝶ネクタイ」形状あるいはボーン形状（中央部が細く端部が丸く膨らんだ骨の形状）を挙げることができる。
【００３９】
また、このような取出口用切込線１５には、取出口用切込線１５によって囲まれた部分が引き剥がし易いように、引剥がし用切込線１７が形成されていてもよい。例えば、図１及び図２に示す衛生用紙収納用カートン１００においては、上面１の取出口用切込線１５に、取出口用切込線１５によって囲まれた領域を中央部近傍で二つに分割するための引剥がし用切込線１７が形成されている。
【００４０】
このような取出口用切込線１５や引剥がし用切込線１７は、直線状の切れ目（スリット）で形成されていても、部分的につながりを有するミシン目状のものでもよく、包装業界でジッパーと呼称されている切れ目が鉤形に屈曲した開封用破断線（包装産業の周知・慣用技術集第２８１頁参照、昭和５３年１２月２０日特許庁発行）や、２重線のミシン目でもよい。
【００４１】
また、本実施の形態の衛生用紙収納用カートン１００は、取出口１０の内面に、取出口１０を被覆するポリエチレンフィルム等のフィルム（図示せず）が貼着され、このフィルムの中央部に直線状のスリットが設けられたものであってもよいし、取出口１０の内面にフィルムを貼着しない構造の、所謂フィルムレスカートンであってもよい。
【００４２】
なお、取出口１０の内面にフィルム（図示せず）が貼着されたカートンは、外部の塵や異物に対して内容物を保護することができるとともに、衛生用紙収１０７を外部に取出す際に、フィルム（図示せず）に設けられたスリット間での摩擦により、所謂ポップアップした衛生用紙収１０７を箱の内部に落ち込むことを防止して、衛生用紙収１０７を取出口１０に良好に保持することができる。
【００４３】
一方、上記フィルムレスカートンは、ポリエチレンフィルム等のフィルムの材料コスト及び同フィルムを貼りつける工程を省くことができるとともに、使用済み衛生用紙収納用カートン１００を廃棄する際に、フィルムを分別して廃棄する必要がないという利点を有している。
【００４４】
また、図１〜図３に示すように、本実施の形態の衛生用紙収納用カートン１００においては、取出口１０の外周に押し罫１８が形成されていてもよい。このように構成することによって、取出口１０周囲の構造強度を向上させて破れ等の破損を抑制し、且つ生産速度を上げてもカートン１００に変形が生じ難く生産性の向上を図ることができる。また、衛生用紙１０７を収納して使用する際に、押し罫１８によりカートン１００の歪みが抑制され、カートン１００の型崩れを良好に防止することができる。また、衛生用紙１０７を取出口１０より取出す際、内周縁と衛生用紙１０７とが擦れる際に生じる音を小さくすることができる。
【００４５】
なお、このような押し罫１８の形状については、上記のような効果を得ることができる形状であれば、特に制限はない。また、押し罫１８を形成する方法は、例えば、押し刃等により衛生用紙収納用カートン１００を構成するカートン用紙を押圧して形成する方法や、通常の打抜型を用いた打抜工程において、カートン用紙を、硬化紙製等の雌型を設けた鉄板と金属製の罫線板との間に挟み込んで圧着する方法等を挙げることができる。
【００４６】
更に、本実施の形態の衛生用紙収納用カートン１００においては、特に限定されることはないが、上面１に対向する底面２に、衛生用紙１０７を取出口１０側に押し上げるための底上げ部３３を形成するための底上げ部用切込線３１が形成されていてもよい。
【００４７】
この底上げ部３３は、例えば、略円弧状の底上げ部用切込線３１を破断し、略円弧状の弦部分に対応して設けられた折れ線３２をヒンジ部として、略半円に区画された部位を内側に折り曲げることによって形成することができる。なお、図２においては、二つの略半円に区画された部位が一対となって底上げ部３３を構成している。
【００４８】
このような底上げ部３３を形成することにより、衛生用紙１０７の残りが少なくなった際に衛生用紙１０７を取出口１０側に押し上げることができ、衛生用紙１０７の最後の一枚まで確実に取出すことが可能となる。
【００４９】
また、図示は省略するが、例えば、底面には、上面とは別の取出口を形成するための切込線（取出口用切込線）が形成されていてもよい。
【００５０】
本実施の形態の衛生用紙収納用カートン１００の内部の空間５に収納される衛生用紙１０７については特に制限はなく、例えば、ティシュペーパー（顔ふき紙、化粧紙等と呼ばれるもの）、ちり紙、ペーパータオル（キッチンペーパー等）、トイレットペーパー（ロールを除く）、ワッティング（紙綿）等の使い捨て紙（例えば、紙パルプ技術便覧第５版、第４５９頁参照、１９９２年１月３０日発行、紙パルプ技術協会編集・発行）を挙げることができる。
【００５１】
なお、このような衛生用紙１０７としては、衛生用紙収納用カートン１００の内部の空間５に、衛生用紙１０７の一部が交互に折り重なるようにして収納することができるものが好ましい。このような衛生用紙１０７は、衛生用紙収納用カートン１００の取出口１０から継続してスムーズに取出すことができる。
【００５２】
ここで、このような衛生用紙１０７が収納された本実施の形態の衛生用紙収納用カートン１００を使用する方法について説明する。本実施の形態の衛生用紙収納用カートン１００を使用する際には、まず、上面１の取出口用切込線１５の中央部を指で押圧して、引剥がし用切込線１７を破断し、この中央部分から箱の内側に指を指し込み、取出口用切込線１５に囲われた部分の半分になった一方を摘み上げて、取出口１０を半分開封する。
【００５３】
次に、取出口用切込線１５に囲われた部分の残りの半分を引剥がし、取出口１０を完全に開封する。
【００５４】
この後、形成された取出口１０から指を入れ、最上部の一組目の衛生用紙１０７を摘んで上方に取出せばよい。なお、衛生用紙１０７の一部が交互に折り重なるようにして収納されている場合には、一組目の衛生用紙１０７を取出すと、これに連れて、交互に折り重なった次の衛生用紙１０７が引出され、連続して衛生用紙１０７を取出すことができる。
【産業上の利用可能性】
【００５５】
本発明の衛生用紙収納用カートンは、ティシュペーパー、キッチンペーパー等のペーパータオル、シート状のトイレットペーパー、ワッティング（紙綿）等のカートンとして、好適に利用できる。
【図面の簡単な説明】
【００５６】
【図１】本発明の衛生用紙収納用カートンの一の実施の形態を示す斜視図である。
【図２】本発明の衛生用紙収納用カートンの一の実施の形態の一例を示す図であり、衛生用紙収納用カートンを組み立てる前のカートンブランクの状態の展開図である。
【図３】図１に示す衛生用紙収納用カートンの使用状態を示す斜視図である。
【図４】図１に示す衛生用紙収納用カートンを解体する工程を示す斜視図である。
【図５】図１に示す衛生用紙収納用カートンを解体する工程を示す斜視図である。
【図６】本発明の衛生用紙収納用カートンの一の実施の形態の他の例を示す斜視図である。
【図７】従来のティシュペーパー収納箱を示す斜視図である。
【符号の説明】
【００５７】
１：上面、２：底面、３，３ａ，３ｂ：側面、４，４ａ，４ｂ：妻面、５：空間（衛生用紙を収納し得る空間）、６：解体用切込線、７：接合部分、８：側面接合部、９：突出部（接合用の突出部）、１０：取出口、１１：上面側外フラップ、１２：底面側外フラップ、１３：一方の側縁、１４：他方の側縁、１５：取出口用切込線、１６：内フラップ、１７：引剥がし用切込線、１８：押し罫、２０：ティッシュペーパー収納箱、２１：天板、２２：底板、２３：側板、２４取出口、２５ａ，２５ｂ：外フラップ、２６ａ，２６ｂ：折曲げ線、２８：解体用ミシン線、３１：底上げ部用切込線、３２：折れ線、３３：底上げ部、ｇ：接着剤。
【図１】
2007204094.tif 000003
【図２】
2007204094.tif 000004
【図３】
2007204094.tif 000005
【図４】
2007204094.tif 000006
【図５】
2007204094.tif 000007
【図６】
2007204094.tif 000008
【図７】
2007204094.tif 000009